(57)【要約】【課題】  箱体に接続された蓋体の引き上げ及び押し下げにより、包装箱の開口端が開放或いは閉合の変化を呈する包装箱の提供。【解決手段】  包装箱は箱体と該箱体の上に接続された蓋体を具え、該蓋体が複数の折り畳み片で箱体に接続され、これにより蓋体が箱体に対して引き上げられるか或いは下向きに閉じ合わされ、並びに蓋体が引き上げられる時、蓋体の中央に開口が現出し、蓋体が下向きに箱体に閉じ合わされる時、蓋体の開口も閉じられる。【選択図】        図１
0003111681.tif 000002
【実用新案登録請求の範囲】
【請求項１】
開口を具えた箱体、及び、蓋体を具え、
該蓋体が、
該箱体の開口上に接続され、該箱体の開口外周に嵌合可能な外框と、
該箱体と該外框を接続し、折り線で画定された上折り畳み片と下折り畳み片を包含し、該上折り畳み片と下折り畳み片と該箱体及び該蓋体との接合位置にも折り線が設けられた複数の折り畳み片と、
を具え、
外框が箱体に嵌合される時、上折り畳み片と下折り畳み片が外框内に折り畳まれて箱体の開口を封じ、該外框が引き上げられる時、上折り畳み片と下折り畳み片が直立し、箱体内部の開口を開放することを特徴とする、包装箱。
【請求項２】
請求項１記載の包装箱において、箱体と蓋体が連続板片で構成されたことを特徴とする、包装箱。
【請求項３】
請求項２記載の包装箱において、連続板片が紙板或いはプラスチック板とされたことを特徴とする、包装箱。
【請求項４】
請求項１記載の包装箱において、箱体が多角形とされたことを特徴とする、包装箱。
【請求項５】
請求項１記載の包装箱において、箱体が少なくとも一つの伸縮スリットを具えたことを特徴とする、包装箱。
【請求項６】
板片が折り合わされてなる包装箱であって、該板片が連続する複数のブロックユニットを包含し、各ブロックユニットが、
箱体ブロックと、
該箱体ブロックの一端に接続された折り畳み片ブロックと、
該折り畳み片ブロックの箱体ブロックと反対の一端に接続された外框ブロックと、
該箱体ブロックの該折り畳み片ブロックと反対の一端に接続された底蓋ブロックと、
を具えたことを特徴とする、包装箱。
【請求項７】
請求項５記載の包装箱において、相互に隣接するブロックの接合部分に折り線が設けられたことを特徴とする、包装箱。
【請求項８】
請求項５記載の包装箱において、最外側に位置する箱体ブロックに接着ブロックが接続されたことを特徴とする、包装箱。
【請求項９】
請求項５記載の包装箱において、最外側に位置する外框ブロックに接着ブロックが接続されたことを特徴とする、包装箱。
【考案の詳細な説明】
【技術分野】
【０００１】
本考案は一種の包装箱に係り、特に箱体に接続された蓋体の引き上げ及び押し下げにより、包装箱の開口端が開放或いは閉合の変化を呈するものに関する。
【背景技術】
【０００２】
各種の包装箱中、開口端には蓋体が付設されて開放或いは閉合に供される。そのうち、よく見られる蓋体の設計は大きく二種類に分けられ、そのうち一種類は、分離式の蓋体とされ、もう一種類は包装箱の箱体の開口端の一側より蓋板が延伸されて、折り曲げの方式で開口端を封じるものである。
【０００３】
そのうち、分離式の蓋体は嵌合の方式で箱体の開口端に組み合わされ、更なる固定を行なわねば離脱してしまう。箱体に蓋体が直接接続された設計は蓋体の分離の欠点がないものの、通常開放に不便であり、操作が面倒である問題がある。
【０００４】
ゆえに、二種類の周知の蓋体の設計には使用上の欠点があり、改善の必要がある。
【考案の開示】
【考案が解決しようとする課題】
【０００５】
本考案は周知の蓋体の問題点に対して、一種の改善の道を提供することを目的とし、それは包装箱の蓋体の開放と閉合の動作を相当に簡便とし、且つ蓋体が箱体より離脱しない新規な設計であるものとする。
【０００６】
上述の目的を達成するため、本考案は一種の包装箱を提供し、それは、包装箱は箱体と該箱体の上に接続された蓋体を具え、該蓋体が複数の折り畳み片で箱体に接続され、これにより蓋体が箱体に対して引き上げられるか或いは下向きに閉じ合わされ、並びに蓋体が引き上げられる時、蓋体の中央に開口が現出し、蓋体が下向きに箱体に閉じ合わされる時、蓋体の開口も閉じられる。
【課題を解決するための手段】
【０００７】
請求項１の考案は、開口を具えた箱体、及び、蓋体を具え、
該蓋体が、
該箱体の開口上に接続され、該箱体の開口外周に嵌合可能な外框と、
該箱体と該外框を接続し、折り線で画定された上折り畳み片と下折り畳み片を包含し、該上折り畳み片と下折り畳み片と該箱体及び該蓋体との接合位置にも折り線が設けられた複数の折り畳み片と、
を具え、
外框が箱体に嵌合される時、上折り畳み片と下折り畳み片が外框内に折り畳まれて箱体の開口を封じ、該外框が引き上げられる時、上折り畳み片と下折り畳み片が直立し、箱体内部の開口を開放することを特徴とする、包装箱としている。
請求項２の考案は、請求項１記載の包装箱において、箱体と蓋体が連続板片で構成されたことを特徴とする、包装箱としている。
請求項３の考案は、請求項２記載の包装箱において、連続板片が紙板或いはプラスチック板とされたことを特徴とする、包装箱としている。
請求項４の考案は、請求項１記載の包装箱において、箱体が多角形とされたことを特徴とする、包装箱としている。
請求項５の考案は、請求項１記載の包装箱において、箱体が少なくとも一つの伸縮スリットを具えたことを特徴とする、包装箱としている。
請求項６の考案は、板片が折り合わされてなる包装箱であって、該板片が連続する複数のブロックユニットを包含し、各ブロックユニットが、
箱体ブロックと、
該箱体ブロックの一端に接続された折り畳み片ブロックと、
該折り畳み片ブロックの箱体ブロックと反対の一端に接続された外框ブロックと、
該箱体ブロックの該折り畳み片ブロックと反対の一端に接続された底蓋ブロックと、
を具えたことを特徴とする、包装箱としている。
請求項７の考案は、請求項５記載の包装箱において、相互に隣接するブロックの接合部分に折り線が設けられたことを特徴とする、包装箱としている。
請求項８の考案は、請求項５記載の包装箱において、最外側に位置する箱体ブロックに接着ブロックが接続されたことを特徴とする、包装箱としている。
請求項９の考案は、請求項５記載の包装箱において、最外側に位置する外框ブロックに接着ブロックが接続されたことを特徴とする、包装箱としている。
【考案の効果】
【０００８】
本考案はの包装箱は操作が簡便である長所を有するのみならず、箱体に接続された蓋体に分離式蓋体が有する各種の問題が発生しないものとされる。
【考案を実施するための最良の形態】
【０００９】
図１は本考案の好ましい実施例の構造を示す。本考案の包装箱は箱体１０と箱体１０の上端に接続された蓋体１２を具えている。
【００１０】
図１から図３に示されるように、該箱体１０は開口を具え、各種の収容物がこの開口より箱体１０内に収容される。箱体１０の一端の折り畳み片に接続される部分にはＶ字形の伸縮スリット１０１が設けられ、箱体１０に蓋体１２が閉じ合わされる時、該伸縮スリット１０１により箱体１０端部の周縁の幅が縮小され蓋体１２の閉合に便利とされる。蓋体１２は箱体１０の開口上に接続され、それは箱体１０の開口外周に嵌合される外框１２２と、箱体１０と外框１２２間の複数の折り畳み片１２４を具えている。該折り畳み片１２４により箱体１０と外框１２２が接続されている。
【００１１】
これら折り畳み片１２４は折り線１１で上折り畳み片１２６と下折り畳み片１２８に区画され、且つ該上折り畳み片１２６と下折り畳み片１２８と箱体１０及び蓋体１２との接合位置に折り線１３、１５が設けられている。これにより、外框１２２が箱体１０に嵌合され、上折り畳み片１２６、下折り畳み片１２８が外框１２２内に折り畳まれて箱体１０の開口を封じ、閉合される前に、箱体１０のＶ字形の伸縮スリット１０１が外框１２２に圧迫されて閉合し、これにより箱体１０端部周縁の幅が縮小し、外框１２２により箱体１０の開口が閉合される。外框１２２が引き起こされる時、上折り畳み片１２６、下折り畳み片１２８は徐々に直立し、並びに箱体１０内部の開口２０を開放する。
【００１２】
以上の説明から分かるように、本考案の提示する包装箱は箱体１０と蓋体１２が接続され、操作が簡便な長所だけでなく箱体１０上に接続された蓋体１２が分離式蓋体の欠点を具備しないものとされる。
【００１３】
実施時には、本考案の包装箱は連続板片で構成可能であり、且つ連続板片には紙板、プラスチック板を選択可能である。図４には連続板片３０が示され、且つ本考案の包装箱はこの連続板片３０が折り合わされてなる。
【００１４】
該連続板片３０は連続する複数のブロックユニット３２を具え、各ブロックユニット３２は、箱体ブロック３２２、折り畳み片ブロック３２４、外框ブロック３２６、及び底蓋ブロック３２８を具えている。そのうち、折り畳み片ブロック３２４は箱体ブロック３２２の一端に接続され、外框ブロック３２４は折り畳み片ブロック３２４の箱体ブロック３２２と反対の一端に接続され、底蓋ブロック３２８は箱体ブロック３２２の折り畳み片ブロック３２４と反対の一端に接続されている。
【００１５】
連続板片３０の、相互に隣接する各ブロックはいずれも接合部分に折り線３４（点線で表示）を具え、隣接する二つのブロックが折り線３４を折り合わせの基準線として折り合わされて本考案の包装箱の立体形態が形成される。
【００１６】
このほか、連続板片３０中、最外側に位置する箱体ブロック３２２には接着ブロック３６が設けられ、このほか最外側の外框ブロック３２６にも接着ブロック３６が設けられ、包装箱の折り合わせ完成後に、接着ブロック３６が別のブロックユニット３２の対応するブロックに接着されることにより、包装箱が折り合わせ後の形状を保持する。
【００１７】
最後に、提示すべきことは、本考案の包装箱は矩形造形を実施例としているが、矩形造形に限定されるものではなく、例えば多角形或いはその他の変化形状が可能であり、いずれも本考案の実施の範疇に属する。
【００１８】
以上は本考案の好ましい実施例の説明であり、以上の説明及び図面の記載に基づきなしうる細部の修飾或いは改変は、いずれも本考案の請求範囲に属するものとする。
【図面の簡単な説明】
【００１９】
【図１】本考案の好ましい実施例の立体図であり、蓋体が引き上げられた状態を示す。
【図２】本考案の蓋体が押し下げられる過程中の立体図である。
【図３】本考案の蓋体が完全に閉合された状態の立体図である。
【図４】本考案の包装箱の折り合わせ前の平面展開図である。
【符号の説明】
【００２０】
１０  箱体                    ３０  連続板片
１０１  伸縮スリット          ３２  ブロックユニット
１２  蓋体                    ３２２  箱体ブロック
１２２  外框                  ３２４  折り畳み片ブロック
１２４  折り畳み片            ３２６  外框ブロック
１２６  上折り畳み片          ３２８  底蓋ブロック
１２８  下折り畳み片          ３４  折り線
１３、１５  折り線            ３６  接着ブロック
２０  開口
【図１】
0003111681.tif 000003
【図２】
0003111681.tif 000004
【図３】
0003111681.tif 000005
【図４】
0003111681.tif 000006